(57)【要約】  本発明は、吸引ヘッド、塵埃容器、及び吸引ホースを接続するように設計された入口取付け具を有する湿乾式真空掃除機に関し、入口取付け具は、吸引された塵埃粒子が入口接続部を介して塵埃容器の中に入ることができるように、湿乾式真空掃除機内に構成された、湿乾式真空掃除機の入口接続部に流体的に接続されており、入口接続部は水平方向に流出するディフューザとして設計されている。
2021517042.tif 000002
【特許請求の範囲】
【請求項１】
真空掃除機ヘッド（１０）を有し、塵埃容器（２０）を有し、吸引ホース（２００）の接続用に設計された入口取付け具（２５）を有する、湿乾式真空掃除機（１００）であって、前記入口取付け具（２５）は、引き込まれた塵埃粒子（Ｐ）が入口コネクタ（２７）を介して前記塵埃容器（２０）の中に移動することができるように、前記湿乾式真空掃除機（１００）内に位置する前記入口コネクタ（２７）に前記湿乾式真空掃除機（１００）の流れの点で接続されている前記湿乾式真空掃除機（１００）において、
前記入口コネクタ（２７）は水平方向への流出を伴うディフューザとして設計されていることを特徴とする、湿乾式真空掃除機。
【請求項２】
ディフューザとして設計された前記入口コネクタ（２７）を通る吸引流（Ｓ）が、前記塵埃容器（２０）の内壁（２１）に向かって導かれることを特徴とする、請求項１に記載の湿乾式真空掃除機。
【請求項３】
前記塵埃容器（２０）の前記内壁（２１）は前記塵埃容器（２０）の側壁であることを特徴とする、請求項２に記載の湿乾式真空掃除機。
【請求項４】
ディフューザとして設計された前記入口コネクタ（２７）はディフューザ開口部（２８）を有し、前記内壁（２１）に対する前記ディフューザ開口部（２８）の壁間隔（ＷＡ）は、前記塵埃容器（２０）の容器幅（Ｂ）の５分の１未満であることを特徴とする、請求項２又は３に記載の湿乾式真空掃除機。
【請求項５】
前記ディフューザ開口部（２８）の断面積（Ｑ１）は、前記塵埃容器（２０）の中への壁通路の領域における前記入口取付け具（２５）の断面積（Ｑ２）よりも少なくとも５０％大きいことを特徴とする、請求項１〜４のいずれか１項に記載の湿乾式真空掃除機。
【請求項６】
ディフューザとして設計された前記入口コネクタ（２７）は、前記塵埃容器（２０）によって画定される容積（Ｖ）内に、好ましくは独占的に、構成されることを特徴とする、請求項１〜５のいずれか１項に記載の湿乾式真空掃除機。
【請求項７】
前記湿乾式真空掃除機（１００）は前記真空掃除機ヘッド（１０）内に構成された電気タービン（１５）を有することを特徴とする、請求項１〜６のいずれか１項に記載の湿乾式真空掃除機。
【請求項８】
前記湿乾式真空掃除機（１００）は、前記吸引流（Ｓ）に対して、ディフューザとして設計された前記入口コネクタ（２７）の下流に位置付けられた、塵埃フィルタ（１７）を有することを特徴とする、請求項１〜７のいずれか１項に記載の湿乾式真空掃除機。
【請求項９】
ディフューザとして設計された前記入口コネクタ（２７）は、単一の部品として形成されている、及び／又は前記塵埃容器（２０）に一体形成されていることを特徴とする、請求項１〜８のいずれか１項に記載の湿乾式真空掃除機。
【請求項１０】
ディフューザとして設計された前記入口コネクタ（２７）は、プラスチックから成ることを特徴とする、請求項１〜９のいずれか１項に記載の湿乾式真空掃除機。
【発明の詳細な説明】
【技術分野】
【０００１】
本発明は、真空掃除機ヘッドを有し、塵埃容器を有し、吸引ホースの接続用に設計された入口取付け具を有する、湿乾式真空掃除機に関する。入口取付け具は、引き込まれた塵埃粒子が、入口コネクタを介して塵埃容器の中に移動することができるように、湿乾式真空掃除機内に位置する湿乾式真空掃除機の入口コネクタに、流れの点で接続されている。
【背景技術】
【０００２】
導入部で述べた種類の湿乾式真空掃除機は、原則的に従来技術から知られている。これらは、例えば、典型的にはアングルグラインダで実施される作業中に形成されるものなどの塵埃粒子を引き抜く役割を担う。この目的のため、吸引ホースが入口取付け具に接続され、吸引ホースは次いで、例としてアングルグラインダによって接続されている。いわゆる湿式用途では、汚れた水が引き込まれる。乾式用途では、乾燥した塵埃粒子のみが、又は主として塵埃粒子が引き込まれる。
【発明の概要】
【発明が解決しようとする課題】
【０００３】
本発明の目的は、改善された動作挙動を示す湿乾式真空掃除機を提供することである。
【０００４】
本目的は、入口コネクタが水平方向への流出を伴うディフューザとして設計されることで実現される。
【課題を解決するための手段】
【０００５】
本発明は、従来技術の湿乾式真空掃除機の場合は、入口取付け具及び／又は入口コネクタが、典型的には真空掃除機ヘッド内に位置しており、その結果として、塵埃容器の利用可能な容積を最適に利用することができるという気づきを取り入れている。ここで、入口コネクタは典型的には、直接、塵埃容器の中に方向付けられ、その結果、既に引き込まれた、塵埃容器内の塵埃粒子の望ましくない撹拌及び掻き回しに至る。これにより、湿式用途の場合には早期の遮断につながり、乾式用途の場合には比較的短いフィルタの有効寿命につながることが観察された。水平方向への流出を伴うディフューザとして本発明により設計された入口コネクタのおかげで、これらの欠点を回避することができる。むしろ、塵埃容器内での掻き回しなしで、塵埃容器の中に塵埃粒子を層状に導入することが促進される。
【０００６】
ディフューザとして設計された入口コネクタを通る吸引流が塵埃容器の内壁に向かって導かれると有利であることが確認されている。内壁からの吸引流の跳ね返りにより、塵埃粒子を含む引き込まれた空気は減速されるか又は遅くなり、それにより、塵埃容器の中への塵埃粒子の導入が更に改善される。
【０００７】
塵埃容器の内壁は、好ましくは塵埃容器の側壁である。内壁は、必ずしも塵埃容器の側壁である必要はない。むしろ、内壁はまた、湿乾式真空掃除機内の更なる壁であってもよく、更なる壁は、垂直方向に向いている、及び／又はその面積は、入口コネクタのディフューザ開口部の断面積と少なくとも同じくらいの大きさである。
【０００８】
特に好ましい態様では、ディフューザとして設計された入口コネクタはディフューザ開口部を有し、内壁に対するディフューザ開口部の壁間隔は、塵埃容器の容器幅の５分の１未満である。
【０００９】
ディフューザ開口部の断面積は、好ましくは、塵埃容器の中への壁通路の領域における入口取付け具の断面積よりも少なくとも５０％大きい。
【００１０】
ディフューザ開口部は、好ましくは独占的に、塵埃容器の上側３分の１に構成されてもよい。
【００１１】
ディフューザとして設計された入口コネクタが、塵埃容器によって画定される容積内に構成されると有利であることが確認されている。ディフューザとして設計された入口コネクタは、塵埃容器によって画定される容積内に独占的に構成されることが特に好ましい。
【００１２】
湿乾式真空掃除機は、真空掃除機ヘッド内に構成された電気タービンを有することが特に好ましい。湿乾式真空掃除機は、吸引流に対して、ディフューザとして設計された入口コネクタの下流に位置付けられた塵埃フィルタを有してもよい。
【００１３】
更に好ましい態様では、ディフューザとして設計された入口コネクタは、単一の部品として形成されている。ディフューザとして設計された入口コネクタは、塵埃容器上に一体形成されてもよい。ディフューザとして設計された入口コネクタは、好ましくはプラスチック又はポリマーから成る。
【００１４】
更なる利点は、以下の図の説明から明らかになるであろう。
【００１５】
図、本明細書の記載、及び特許請求の範囲は、多数の特徴を組み合わせて含む。当業者も、適宜、特徴を個別に検討し、それらを組み合わせて、好都合な更なる組み合わせをもたらすであろう。
【図面の簡単な説明】
【００１６】
【図１】本発明の好ましい実施例を示す図である。
【発明を実施するための形態】
【００１７】
本発明による湿乾式真空掃除機の好ましい実施例を図１に示す。湿乾式真空掃除機１００は、真空掃除機ヘッド１０、塵埃容器２０、及び吸引ホース２００の接続用に設計された入口取付け具２５を有する。
【００１８】
入口取付け具２５に接続される吸引ホース２００を図１に概略的に示す。
【００１９】
湿乾式真空掃除機１００は入口コネクタ２７を更に有し、入口コネクタ２７は、引き込まれた塵埃粒子Ｐが入口コネクタ２７を介して塵埃容器２０の中に移動することができるように、入口取付け具２５への流れの点で接続されている。
【００２０】
図１から分かるように、入口コネクタ２７は、水平方向への流出を伴うディフューザとして、本発明により設計される。
【００２１】
図から分かるように、ディフューザとして設計された入口コネクタ２７は、塵埃容器２０によって画定される容積Ｖ内に独占的に構成される。更には、入口コネクタ２７として設計されたディフューザは、吸引流Ｓが塵埃容器２０の内壁２１に直接向くように方向付けられるように構成されている。換言すれば、吸引流Ｓは、入口コネクタ２７のディフューザ開口部２８を通って、内壁２１に向かって水平方向Ｈに流れ、内壁２１から跳ね返され、通過し、減速されて、塵埃容器２０の下側領域に入り、それにより、塵埃粒子Ｐを、掻き回しなしで、又は掻き回しが少なくとも顕著に低減されて、層状で導入することができる。
【００２２】
同様に、図１から分かるように、入口コネクタ２７のディフューザ開口部２８は内壁２１までの壁間隔ＷＡを有し、壁間隔ＷＡは塵埃容器２０の容器幅Ｂの５分の１未満である。
【００２３】
本実施例では、ディフューザ開口部２８の断面積Ｑ１は、塵埃容器２０の中への壁通路の領域における入口取付け具２５の断面積Ｑ２よりも少なくとも５０％大きい。
【００２４】
図１の湿乾式真空掃除機１００は、真空掃除機ヘッド１０内に構成された電気タービンを更に有する。吸引流Ｓは前述の電気タービンによって生成され、湿式用途又は乾式用途の過程で、その吸引流により塵埃粒子Ｐが塵埃容器２０の中に引き込まれる。
【００２５】
湿乾式真空掃除機１００は、吸引流Ｓに対して、ディフューザとして設計された入口コネクタ２７の下流に位置付けられた塵埃フィルタ１７を更に有する。ここに示される実施例では、塵埃フィルタ１７は、真空掃除機ヘッド１０と塵埃容器２０との間の移行部に構成される。
【００２６】
真空掃除機ヘッド１０は、塵埃容器２０に上から置かれ、塵埃容器に固定されている（固定部は図示されず）。図１の好ましい実施例では、ディフューザとして設計された入口コネクタ２７は単一の部品として形成され、塵埃容器２０に直接、一体形成されている。ここでは、入口コネクタ２７と塵埃容器２０の両方がプラスチックから成る。
【００２７】
代替実施例では、塵埃容器２０は、例えば金属から作製されてもよく、その中に、例えば、プラスチック又はポリマーから成る入口コネクタが、プラスチック又はポリマーから成る入口取付け具２５と共に固定される。
【符号の説明】
【００２８】
１０  真空掃除機ヘッド
１５  電気タービン
１７  塵埃フィルタ
２０  塵埃容器
２１  内壁
２５  入口取付け具
２７  入口コネクタ
２８  ディフューザ開口部
１００  湿乾式真空掃除機
２００  吸引ホース
Ｂ  容器幅
Ｈ  水平軸
Ｐ  塵埃粒子
Ｑ１  ディフューザ開口部の断面積
Ｑ２  入口取付け具の断面積
Ｓ  吸引流
Ｖ  塵埃容器の容積
ＷＡ  壁間隔
【図１】
2021517042.tif 000003
【国際調査報告】
2021517042.tif 000004
2021517042.tif 000005
2021517042.tif 000006
2021517042.tif 000007